(57)【要約】【課題】  被照射体の面方向における輝度が均一となるように、光を被照射体に照射することができる照明装置、および、この照明装置を備える表示装置を提供する。【解決手段】  バックライトユニット１は、底部１３１の中央領域１３１１および周辺領域１３１２に整列配置される複数の発光部１１１と、中央領域反射部材１１８Ａと、周辺領域反射部材１１８Ｂとを備える。中央領域反射部材１１８Ａは、中央領域１３１１に配置される各発光部１１１の周囲に設けられ、発光部１１１の光軸Ｓに垂直な方向に延在し、発光部１１１から出射された光を液晶パネル２に向けて反射させる。周辺領域反射部材１１８Ｂは、周辺領域１３１２に配置される各発光部１１１の周囲に設けられる。この周辺領域反射部材１１８Ｂは、副反射部１１８２を有し、その副反射部１１８２は、発光部１１１を囲繞し、発光部１１１の光軸Ｓに対して傾斜して延在する。【選択図】      図２
2013246954.tif 000002
【特許請求の範囲】
【請求項１】
中央領域と、該中央領域の周囲に位置する周辺領域とが形成される底部を有する筐体と、
前記底部の中央領域および周辺領域に整列配置される、光を出射する複数の発光部と、
前記中央領域に配置される各発光部の周囲に設けられ、該発光部の光軸に垂直な方向に延在し、該発光部から出射された光を被照射体に向けて反射させる中央領域反射部材と、
前記周辺領域に配置される各発光部の周囲に設けられ、該発光部から出射された光を被照射体に向けて反射させる周辺領域反射部材であって、該発光部の光軸に対して所定の角度で傾斜して延在し、該発光部を囲繞する第１反射部を有する周辺領域反射部材と、を備えることを特徴とする照明装置。
【請求項２】
前記底部は、前記光軸方向に見たときの外形状が矩形状に形成され、
前記底部において、前記中央領域が、前記底部の外形状に相似する矩形状に形成されて、前記周辺領域が、矩形枠状に形成され、
前記複数の発光部は、前記底部における直交する２つの辺部分のそれぞれの延在方向に等間隔で、前記中央領域および前記周辺領域に整列配置されることを特徴とする請求項１に記載の照明装置。
【請求項３】
前記周辺領域に配置される発光部の、前記底部の辺部分に垂直な方向のそれぞれの配置数は、各辺部分で同じであることを特徴とする請求項２に記載の照明装置。
【請求項４】
前記周辺領域に配置される発光部の、前記底部の辺部分に垂直な方向のそれぞれの配置数は、各辺部分で１個であることを特徴とする請求項３に記載の照明装置。
【請求項５】
前記周辺領域反射部材の前記第１反射部は、前記中央領域に近い位置に配置される発光部に対応する第１反射部よりも、前記中央領域に対して遠い位置に配置される発光部に対応する第１反射部が、前記光軸方向に投影したときの投影面積が大きいことを特徴とする請求項１〜３のいずれか１つに記載の照明装置。
【請求項６】
前記周辺領域反射部材における前記第１反射部の、前記光軸方向に投影したときの投影面積は、前記中央領域から遠ざかるにつれて、段階的に大きくなることを特徴とする請求項５に記載の照明装置。
【請求項７】
前記周辺領域反射部材における前記第１反射部の延在方向の長さは、前記中央領域に対して遠い位置に配置される発光部に対応する第１反射部が、前記中央領域に近い位置に配置される発光部に対応する第１反射部よりも長くなるように設定されることを特徴とする請求項５または６に記載の照明装置。
【請求項８】
前記周辺領域反射部材における前記第１反射部の前記光軸方向の高さは、前記中央領域に対して遠い位置に配置される発光部に対応する第１反射部が、前記中央領域に近い位置に配置される発光部に対応する第１反射部よりも高くなるように設定されることを特徴とする請求項５〜７のいずれか１つに記載の照明装置。
【請求項９】
前記周辺領域反射部材における前記第１反射部の前記光軸に対する傾斜角度は、前記中央領域に対して遠い位置に配置される発光部に対応する第１反射部が、前記中央領域に近い位置に配置される発光部に対応する第１反射部よりも大きくなるように設定されることを特徴とする請求項５〜８のいずれか１つに記載の照明装置。
【請求項１０】
隣り合う周辺領域反射部材において、第１反射部の互いに対向する領域部分同士は、前記中央領域に近い位置に配置される第１反射部の領域部分よりも、前記中央領域に対して遠い位置に配置される第１反射部の領域部分が、前記光軸方向に投影したときの投影面積が大きいことを特徴とする請求項１〜３のいずれか１つに記載の照明装置。
【請求項１１】
前記周辺領域反射部材における第１反射部の、前記光軸方向に投影したときの投影面積は、前記中央領域から遠ざかるにつれて、段階的に大きくなることを特徴とする請求項１０に記載の照明装置。
【請求項１２】
隣り合う周辺領域反射部材において、第１反射部の互いに対向する領域部分同士は、前記中央領域に近い位置に配置される第１反射部の領域部分よりも、前記中央領域に対して遠い位置に配置される第１反射部の領域部分が、前記光軸に対する傾斜角度が大きくなるように設定されていることを特徴とする請求項１０または１１に記載の照明装置。
【請求項１３】
前記周辺領域反射部材は、前記光軸に垂直な方向に延在し、前記光軸方向に見たときの外形状が多角形状である第２反射部をさらに有し、
前記第１反射部は、前記第２反射部の辺部分に連なって延在することを特徴とする請求項１〜１２のいずれか１つに記載の照明装置。
【請求項１４】
表示パネルと、
前記表示パネルに光を照射する、請求項１〜１３のいずれか１つに記載の照明装置とを備えることを特徴とする表示装置。
【発明の詳細な説明】
【技術分野】
【０００１】
本発明は、表示パネルの背面に光を照射する照明装置、および、この照明装置を備える表示装置に関する。
【背景技術】
【０００２】
表示パネルは、２枚の透明基板の間に液晶が封入され、電圧が印加されることにより液晶分子の向きが変えられ光透過率を変化させることで予め定められた映像などが光学的に表示される。この表示パネルには、液晶自体が発光体ではないので、たとえば透過型の表示パネルの背面側に冷陰極管（ＣＣＦＬ）、発光ダイオード（ＬＥＤ：Light Emitting Diode）などを光源とした光を照射するバックライトユニットが備えられる。
【０００３】
バックライトユニットには、冷陰極管やＬＥＤなどの光源を底面に並べて光を出す直下型と、冷陰極管やＬＥＤなどの光源を導光板と呼ばれる透明な板のエッジ部に配して、導光板エッジから光を通して背面に設けられたドット印刷やパターン形状によって前面に光を出すエッジライト型とがある。
【０００４】
ＬＥＤは、低消費電力、長寿命、水銀を使わないことによる環境負荷低減などの優れた特性を有するが、価格的に高価であることと、青色発光ＬＥＤが発明されるまでは白色発光ＬＥＤは無かったことと、更に、強い指向性を有していることから、バックライトユニットの光源としての利用が遅れていた。しかしながら近年、照明用途で高演色高輝度白色ＬＥＤが急速に普及しており、それに伴ってＬＥＤが安価になってきているので、バックライトユニットの光源としては、冷陰極管からＬＥＤへの移行が進んでいる。
【０００５】
ＬＥＤは強い指向性を有するので、表示パネルの表面の輝度がその面方向において均一となるように光を照射するという観点では、直下型よりもエッジライト型が有効である。しかしながら、エッジライト型のバックライトユニットは、導光板のエッジ部に集中して光源が配置されることにより光源によって生じた熱が集中するという問題とともに、表示パネルのベゼル部が大きくなるという問題が生じる。さらに、エッジライト型のバックライトユニットは、表示画像の高品質化および省電力化が可能な制御方法として注目されている部分的な調光制御（ローカルディミング）についても制約が大きく、表示画像の高品質化および省電力化が達成可能な小分割領域の制御ができないという問題がある。
【０００６】
そこで、部分的な調光制御に有利な直下型のバックライトユニットにおいて、強い指向性を有するＬＥＤを光源として用いた場合であっても、輝度が均一となるように、光を表示パネルに照射することが可能な方法の検討が進められている。
【０００７】
たとえば、特許文献１，２には、光を出射する複数のＬＥＤが整列配置される発光部と、各ＬＥＤの周囲に設けられ、光を反射する複数のリフレクタとを備えるバックライトユニットが開示されている。各ＬＥＤに対応する各リフレクタは、ＬＥＤの下部に設けられる底部と、該底部の縁端部に連なり、ＬＥＤを取り囲む側壁部とを有する。特許文献１，２に開示されるバックライトユニットは、リフレクタによって、ＬＥＤから出射された光を反射させ、表示パネルの輝度の均一化を図っている。
【先行技術文献】
【特許文献】
【０００８】
【特許文献１】特表２００８−５４２９９４号公報
【特許文献２】特開２００４−６３１７号公報
【発明の概要】
【発明が解決しようとする課題】
【０００９】
複数のＬＥＤが整列配置されるバックライトユニットにおいて、たとえば１つのＬＥＤに注目した場合、表示パネルの面方向における端部に対応した１つのＬＥＤが、表示パネルの面方向における中央部に対応した１つのＬＥＤよりも、隣接するＬＥＤの数が少ない。
【００１０】
特許文献１，２に開示されるバックライトユニットでは、各ＬＥＤに対応した各リフレクタは、それぞれ同じ形状かつ同じ大きさに形成されているので、各リフレクタによって反射される光の量は、それぞれ同じである。そのため、各リフレクタによって反射されて表示パネルに到達する光の量は、表示パネルの面方向において、１つのＬＥＤに対して隣接するＬＥＤの数の少ない端部が中央部よりも少なく、その結果、表示パネルの面方向における輝度が不均一になってしまうという課題がある。
【００１１】
本発明は、このような課題を解決するものであり、被照射体の面方向における輝度が均一となるように、光を被照射体に照射することができる照明装置、および、この照明装置を備える表示装置を提供することを目的とする。
【課題を解決するための手段】
【００１２】
本発明は、中央領域と、該中央領域の周囲に位置する周辺領域とが形成される底部を有する筐体と、
前記底部の中央領域および周辺領域に整列配置される、光を出射する複数の発光部と、
前記中央領域に配置される各発光部の周囲に設けられ、該発光部の光軸に垂直な方向に延在し、該発光部から出射された光を被照射体に向けて反射させる中央領域反射部材と、
前記周辺領域に配置される各発光部の周囲に設けられ、該発光部から出射された光を被照射体に向けて反射させる周辺領域反射部材であって、該発光部の光軸に対して所定の角度で傾斜して延在し、該発光部を囲繞する第１反射部を有する周辺領域反射部材と、を備えることを特徴とする照明装置である。
【００１３】
また本発明の照明装置において、前記底部は、前記光軸方向に見たときの外形状が矩形状に形成され、
前記底部において、前記中央領域が、前記底部の外形状に相似する矩形状に形成されて、前記周辺領域が、矩形枠状に形成され、
前記複数の発光部は、前記底部における直交する２つの辺部分のそれぞれの延在方向に等間隔で、前記中央領域および前記周辺領域に整列配置されることを特徴とする。
【００１４】
また本発明の照明装置において、前記周辺領域に配置される発光部の、前記底部の辺部分に垂直な方向のそれぞれの配置数は、各辺部分で同じであることを特徴とする。
【００１５】
また本発明の照明装置において、前記周辺領域に配置される発光部の、前記底部の辺部分に垂直な方向のそれぞれの配置数は、各辺部分で１個であることを特徴とする。
【００１６】
また本発明の照明装置において、前記周辺領域反射部材の前記第１反射部は、前記中央領域に近い位置に配置される発光部に対応する第１反射部よりも、前記中央領域に対して遠い位置に配置される発光部に対応する第１反射部が、前記光軸方向に投影したときの投影面積が大きいことを特徴とする。
【００１７】
また本発明の照明装置において、前記周辺領域反射部材における前記第１反射部の、前記光軸方向に投影したときの投影面積は、前記中央領域から遠ざかるにつれて、段階的に大きくなることを特徴とする。
【００１８】
また本発明の照明装置において、前記周辺領域反射部材における前記第１反射部の延在方向の長さは、前記中央領域に対して遠い位置に配置される発光部に対応する第１反射部が、前記中央領域に近い位置に配置される発光部に対応する第１反射部よりも長くなるように設定されることを特徴とする。
【００１９】
また本発明の照明装置において、前記周辺領域反射部材における前記第１反射部の前記光軸方向の高さは、前記中央領域に対して遠い位置に配置される発光部に対応する第１反射部が、前記中央領域に近い位置に配置される発光部に対応する第１反射部よりも高くなるように設定されることを特徴とする。
【００２０】
また本発明の照明装置において、前記周辺領域反射部材における前記第１反射部の前記光軸に対する傾斜角度は、前記中央領域に対して遠い位置に配置される発光部に対応する第１反射部が、前記中央領域に近い位置に配置される発光部に対応する第１反射部よりも大きくなるように設定されることを特徴とする。
【００２１】
また本発明の照明装置では、隣り合う周辺領域反射部材において、第１反射部の互いに対向する領域部分同士は、前記中央領域に近い位置に配置される第１反射部の領域部分よりも、前記中央領域に対して遠い位置に配置される第１反射部の領域部分が、前記光軸方向に投影したときの投影面積が大きいことを特徴とする。
【００２２】
また本発明の照明装置において、前記周辺領域反射部材における第１反射部の、前記光軸方向に投影したときの投影面積は、前記中央領域から遠ざかるにつれて、段階的に大きくなることを特徴とする。
【００２３】
また本発明の照明装置では、隣り合う周辺領域反射部材において、第１反射部の互いに対向する領域部分同士は、前記中央領域に近い位置に配置される第１反射部の領域部分よりも、前記中央領域に対して遠い位置に配置される第１反射部の領域部分が、前記光軸に対する傾斜角度が大きくなるように設定されていることを特徴とする。
【００２４】
また本発明の照明装置において、前記周辺領域反射部材は、前記光軸に垂直な方向に延在し、前記光軸方向に見たときの外形状が多角形状である第２反射部をさらに有し、
前記第１反射部は、前記第２反射部の辺部分に連なって延在することを特徴とする。
【００２５】
また本発明は、表示パネルと、
前記表示パネルに光を照射する、前記照明装置とを備えることを特徴とする表示装置である。
【発明の効果】
【００２６】
本発明によれば、照明装置は、筐体の底部の中央領域および周辺領域に整列配置される複数の発光部と、中央領域反射部材と、周辺領域反射部材とを備える。中央領域反射部材は、底部の中央領域に配置される各発光部の周囲に設けられ、該発光部の光軸に垂直な方向に延在し、該発光部から出射された光を被照射体に向けて反射させる。周辺領域反射部材は、底部の周辺領域に配置される各発光部の周囲に設けられる。この周辺領域反射部材は、第１反射部を有し、その第１反射部は、発光部を囲繞し、発光部の光軸に対して所定の角度で傾斜して延在する。
【００２７】
本発明の照明装置では、底部の周辺領域に配置される各発光部の周囲に設けられる周辺領域反射部材が、発光部の光軸に対して傾斜して延在する第１反射部を有しているので、中央領域反射部材によって反射される光の量よりも、周辺領域反射部材によって反射される光の量が多くなる。
【００２８】
したがって、底部の中央領域に配置される各発光部に対応する中央領域反射部材と、底部の周辺領域に配置される各発光部に対応する周辺領域反射部材とによって反射されて被照射体に到達する光の量が、被照射体の面方向において、１つの発光部に対して隣接する発光部の数の少ない端部が中央部よりも少なくなることを抑制することができる。すなわち、中央領域反射部材および周辺領域反射部材によって反射されて被照射体に到達する光の量を、被照射体の面方向において均一にすることができ、その結果、被照射体の面方向における輝度を均一にすることができる。
【００２９】
また本発明によれば、筐体の底部は、発光部の光軸方向に見たときの外形状が矩形状に形成される。このような底部において、中央領域は底部の外形状に相似する矩形状に形成され、周辺領域は矩形枠状に形成される。そして、複数の発光部は、底部における直交する２つの辺部分のそれぞれの延在方向に等間隔で、中央領域および周辺領域に整列配置される。このようにして中央領域および周辺領域に配置される各発光部から出射される光は、中央領域反射部材および周辺領域反射部材によって反射される。これによって、中央領域反射部材および周辺領域反射部材によって反射されて被照射体に到達する光の量を、被照射体の面方向においてより効果的に均一にすることができ、その結果、被照射体の面方向における輝度を均一にすることができる。
【００３０】
また本発明によれば、底部の周辺領域に配置される発光部の、底部の辺部分に垂直な方向のそれぞれの配置数は、各辺部分で同じである。このようにして周辺領域に配置される各発光部から出射される光は、第１反射部を有する周辺領域反射部材によって反射される。これによって、中央領域反射部材および周辺領域反射部材によって反射されて被照射体に到達する光の量を、被照射体の面方向においてより効果的に均一にすることができ、その結果、被照射体の面方向における輝度を均一にすることができる。
【００３１】
また本発明によれば、底部の周辺領域に配置される発光部の、底部の辺部分に垂直な方向のそれぞれの配置数は、各辺部分で１個である。このようにして周辺領域に配置される各発光部から出射される光は、第１反射部を有する周辺領域反射部材によって反射される。これによって、中央領域反射部材および周辺領域反射部材によって反射されて被照射体に到達する光の量を、被照射体の面方向においてより効果的に均一にすることができ、その結果、被照射体の面方向における輝度を均一にすることができる。
【００３２】
また本発明によれば、底部の周辺領域に配置される各発光部の周囲に設けられる周辺領域反射部材の第１反射部は、中央領域に近い位置に配置される発光部に対応する第１反射部よりも、中央領域に対して遠い位置に配置される発光部に対応する第１反射部が、発光部の光軸方向に投影したときの投影面積が大きい。これによって、周辺領域に配置される各発光部に対応する周辺領域反射部材によって反射される光の量は、中央領域に近い側よりも遠い側に配置される発光部に対応する周辺領域反射部材が多くなる。したがって、中央領域反射部材および周辺領域反射部材によって反射されて被照射体に到達する光の量を、被照射体の面方向においてより効果的に均一にすることができ、その結果、被照射体の面方向における輝度を均一にすることができる。
【００３３】
また本発明によれば、周辺領域反射部材における第１反射部の、発光部の光軸方向に投影したときの投影面積は、中央領域から遠ざかるにつれて、段階的に大きくなるように設定されている。これによって、中央領域反射部材および周辺領域反射部材によって反射されて被照射体に到達する光の量を、被照射体の面方向においてより効果的に均一にすることができ、その結果、被照射体の面方向における輝度を均一にすることができる。
【００３４】
また本発明によれば、周辺領域反射部材における第１反射部の延在方向の長さは、中央領域に対して遠い位置に配置される発光部に対応する第１反射部が、中央領域に近い位置に配置される発光部に対応する第１反射部よりも長くなるように設定されている。これによって、周辺領域反射部材における第１反射部の投影面積は、中央領域に近い位置に配置される発光部に対応する第１反射部よりも、中央領域に対して遠い位置に配置される発光部に対応する第１反射部の方を大きくすることができる。したがって、周辺領域に配置される各発光部に対応する周辺領域反射部材によって反射される光の量を、中央領域に近い側よりも遠い側に配置される発光部に対応する周辺領域反射部材を多くすることができる。
【００３５】
また本発明によれば、周辺領域反射部材における第１反射部の前記光軸方向の高さは、中央領域に対して遠い位置に配置される発光部に対応する第１反射部が、中央領域に近い位置に配置される発光部に対応する第１反射部よりも高くなるように設定されている。これによって、周辺領域反射部材における第１反射部の投影面積は、中央領域に近い位置に配置される発光部に対応する第１反射部よりも、中央領域に対して遠い位置に配置される発光部に対応する第１反射部の方を大きくすることができる。したがって、周辺領域に配置される各発光部に対応する周辺領域反射部材によって反射される光の量を、中央領域に近い側よりも遠い側に配置される発光部に対応する周辺領域反射部材を多くすることができる。
【００３６】
また本発明によれば、周辺領域反射部材における第１反射部の前記光軸に対する傾斜角度は、中央領域に対して遠い位置に配置される発光部に対応する第１反射部が、中央領域に近い位置に配置される発光部に対応する第１反射部よりも大きくなるように設定されている。これによって、周辺領域反射部材における第１反射部の投影面積は、中央領域に近い位置に配置される発光部に対応する第１反射部よりも、中央領域に対して遠い位置に配置される発光部に対応する第１反射部の方を大きくすることができる。したがって、周辺領域に配置される各発光部に対応する周辺領域反射部材によって反射される光の量を、中央領域に近い側よりも遠い側に配置される発光部に対応する周辺領域反射部材を多くすることができる。なお、第１反射部の前記光軸方向の高さを、中央領域に近い側よりも遠い側に配置される発光部に対応する第１反射部が高くなるように設定し、かつ、第１反射部の前記光軸に対する傾斜角度を、中央領域に近い側よりも遠い側に配置される発光部に対応する第１反射部が大きくなるように設定した場合には、前記光軸方向に投影したときの第１反射部の投影面積の大きさを、より効果的に調整することができる。
【００３７】
また本発明によれば、隣り合う周辺領域反射部材において、第１反射部の互いに対向する領域部分同士は、中央領域に近い位置に配置される第１反射部（中央領域近接側第１反射部）の領域部分よりも、中央領域に対して遠い位置に配置される第１反射部（中央領域離反側第１反射部）の領域部分が、前記光軸方向に投影したときの投影面積が大きくなるように設定されている。これによって、周辺領域に配置される各発光部に対応する周辺領域反射部材によって反射される光の量は、中央領域近接側第１反射部に対応する周辺領域反射部材よりも中央領域離反側第１反射部に対応する周辺領域反射部材の方が多くなる。したがって、中央領域反射部材および周辺領域反射部材によって反射されて被照射体に到達する光の量を、被照射体の面方向においてより効果的に均一にすることができ、その結果、被照射体の面方向における輝度を均一にすることができる。
【００３８】
また本発明によれば、周辺領域反射部材における第１反射部の、前記光軸方向に投影したときの投影面積は、中央領域から遠ざかるにつれて、段階的に大きくなるように設定されている。これによって、中央領域反射部材および周辺領域反射部材によって反射されて被照射体に到達する光の量を、被照射体の面方向においてより効果的に均一にすることができ、その結果、被照射体の面方向における輝度を均一にすることができる。
【００３９】
また本発明によれば、隣り合う周辺領域反射部材において、第１反射部の互いに対向する領域部分同士は、中央領域に近い位置に配置される第１反射部（中央領域近接側第１反射部）の領域部分よりも、中央領域に対して遠い位置に配置される第１反射部（中央領域離反側第１反射部）の領域部分が、前記光軸に対する傾斜角度が大きくなるように設定されている。これによって、隣り合う周辺領域反射部材において、第１反射部の互いに対向する領域部分で、前記光軸方向に投影したときの投影面積が、中央領域近接側第１反射部の領域部分よりも、中央領域離反側第１反射部の領域部分の方が大きくなるように設定することができる。そのため、周辺領域に配置される各発光部に対応する周辺領域反射部材によって反射される光の量を、中央領域近接側第１反射部に対応する周辺領域反射部材よりも中央領域離反側第１反射部に対応する周辺領域反射部材の方を多くすることができる。
【００４０】
また本発明によれば、周辺領域反射部材は、前記光軸に垂直な方向に延在し、前記光軸方向に見たときの外形状が多角形状である第２反射部をさらに有する。この第２反射部を有する周辺領域反射部材では、第１反射部は、前記第２反射部の辺部分に連なって延在するように設けられる。これによって、発光部から出射された光は、周辺領域反射部材の第１反射部および第２反射部によって反射されるので、発光部から出射された光を効率よく被照射体に照射することができる。
【００４１】
また本発明によれば、表示装置は、面方向において強度が均一化された光を表示パネルに照射することができる、本発明に係る照明装置を備えているので、輝度むらなどの発生がなく、高画質画像を表示パネルに表示することができる。
【図面の簡単な説明】
【００４２】
【図１】本発明の一実施形態に係る液晶表示装置１００を分解して示す図である。
【図２】液晶パネル２側から拡散板３およびバックライトユニット１を平面視したときの様子を示す図である。
【図３】プリント基板１２が、フレーム部材１３の底部１３１に固定されている様子を示す図である。
【図４】プリント基板１２とフレーム部材１３の底部１３１とを分解して示す図である。
【図５】プリント基板１２の平面図である。
【図６】基台１１１ｂに支持されたＬＥＤチップ１１１ａとレンズ１１２との位置関係を示す図である。
【図７】基台１１１ｂとＬＥＤチップ１１１ａとを示す図である。
【図８】プリント基板１２に実装されるＬＥＤチップ１１１ａおよび基台１１１ｂを示す図である。
【図９】ＬＥＤチップ１１１ａから出射された光の光路を模式的に示す図である。
【図１０】図２に示す線Ａ−Ａで切断したときの液晶表示装置１００の断面図である。
【図１１】底部１３１の中央領域１３１１に対応する発光装置１１Ａに備えられる中央領域反射部材１１８Ａと、底部１３１の周辺領域１３１２に対応する発光装置１１Ｂに備えられる周辺領域反射部材１１８Ｂの構成を示す断面図である。
【図１２】周辺領域反射部材１１８Ｂの他の例である周辺領域反射部材１１８ＢＡの構成を示す断面図である。
【図１３】周辺領域反射部材１１８Ｂの他の例である周辺領域反射部材１１８ＢＢの構成を示す断面図である。
【図１４】周辺領域反射部材１１８Ｂの他の例である周辺領域反射部材１１８ＢＣの構成を示す断面図である。
【図１５】周辺領域反射部材１１８Ｂの他の例である周辺領域反射部材１１８ＢＤの構成を示す断面図である。
【図１６】バックライトユニット１の他の例であるバックライトユニット１Ａを示す図である。
【発明を実施するための形態】
【００４３】
以下に、本発明の実施形態であるバックライトユニット１を備える液晶表示装置１００について説明する。図１は、本発明の一実施形態に係る液晶表示装置１００を分解して示す図である。液晶表示装置１００は、バックライトユニット１と、液晶パネル２と、拡散板３とを備える。
【００４４】
液晶パネル２は、２枚の基板を含み、矩形平板状に構成される。液晶パネル２は、バックライトユニット１が備える筐体であるフレーム部材１３の底部１３１の底面１３１ａと液晶パネル２の主面とが略平行になるように、フレーム部材１３の側壁部１３２によって支持される。液晶パネル２は、ＴＦＴ（thin film transistor）などのスイッチング素子を含み、２枚の基板の隙間には液晶が注入されている。また、この２枚の基板には、画素の駆動制御用のドライバ（ソースドライバ）、種々の素子および配線が設けられている。このように構成される液晶パネル２は、バックライトユニット１から光が照射されることによって、主面の１つである表示画面２ａに画像を表示する。
【００４５】
拡散板３は、矩形平板状の部材である。拡散板３は、液晶パネル２とバックライトユニット１との間において、液晶パネル２の主面と拡散板３の主面とが平行になるように、フレーム部材１３の側壁部１３２によって支持される。拡散板３は、バックライトユニット１から照射される光を、拡散板３の面方向に拡散することによって、表示画面２ａの輝度が局所的に偏ることを防止する。
【００４６】
本発明の他の実施形態としては、液晶パネル２と拡散板３との間に、プリズムシートを配置してもよい。プリズムシートは、拡散板３を介して到達した光の進行方向を、液晶パネル２の厚み方向に変換し、表示画面２ａの輝度を向上させる。
【００４７】
図２に、液晶パネル２側から拡散板３およびバックライトユニット１を平面視したときの様子を示す。バックライトユニット１は、液晶パネル２に対して、表示画面２ａとは反対側の主面である背面側から光を照射する直下型の照明装置である。バックライトユニット１は、発光部１１１および中央領域反射部材１１８Ａをそれぞれ有する複数の第１発光装置１１Ａと、発光部１１１および周辺領域反射部材１１８Ｂをそれぞれ有する複数の第２発光装置１１Ｂと、複数のプリント基板１２と、フレーム部材１３とを含む。
【００４８】
なお、図２では、バックライトユニット１において複数の第１発光装置１１Ａおよび複数の第２発光装置１１Ｂは、全体としてマトリクス状に配置される。複数の第１発光装置１１Ａおよび複数の第２発光装置１１Ｂをそれぞれ１つずつの発光装置とすると、図２は、マトリクス状の配列における行方向に発光装置が７個配置され、列方向に１２個配置された状態を図示している。ただし、発光装置の配置個数はこれに限定されるものではない。図２では、第１発光装置１１Ａおよび第２発光装置１１Ｂのそれぞれに対応する発光装置は、マトリクス状の配列における行方向に７個、列方向に１２個配置されているけれども、本実施形態では、第１発光装置１１Ａおよび第２発光装置１１Ｂのそれぞれに対応する発光装置は、行方向に１４個、列方向に２４個配置されている。
【００４９】
フレーム部材１３は、液晶パネル２と予め定められた間隔をあけて対向する矩形平板状の底部１３１と、底部１３１に連なり底部１３１から立ち上がる４つの側壁部１３２とからなる。底部１３１は、厚み方向に見たときの形状が矩形状であり、その大きさは液晶パネル２よりも少し大き目である。この底部１３１の底面１３１ａには、底部１３１の中心を含む中央領域１３１１と、中央領域１３１１の周囲に位置する周辺領域１３１２とが設定される。側壁部１３２は、底部１３１のうち、厚み方向に見たときに矩形の短辺をなす２つの端部と、長辺をなす２つの端部とから、液晶パネル２に向かって、それぞれ立ち上がって形成される。フレーム部材１３の厚みは、たとえば０．８ｍｍ〜１．０ｍｍである。
【００５０】
図３に、プリント基板１２が、フレーム部材１３の底部１３１に固定されている様子を示す。また、図４に、プリント基板１２とフレーム部材１３の底部１３１とを分解して示す。さらに、図５に、プリント基板１２の平面図を示す。
【００５１】
プリント基板１２は、フレーム部材１３の底部１３１の底面１３１ａに固定される。プリント基板１２の実装面１２ａには、複数の発光部１１１が設けられる。プリント基板１２は、略長方形板状の部材であり、幅がたとえば１０ｍｍであり、厚みがたとえば０．８ｍｍである。複数のプリント基板１２は、幅方向に並列し、たとえば３０ｍｍ離間してそれぞれ設けられる。
【００５２】
プリント基板１２は、たとえば、導電パターンが両面に印刷されたガラスエポキシからなる基板である。プリント基板１２は、フレーム部材１３の側壁部１３２まで延びて設けられ、側壁部１３２に設けられる、プリント基板１２に電力を供給するためのコネクタ１３２ａと、プリント基板１２の導電パターンとが接続される。プリント基板１２上の各発光部１１１は、コネクタ１３２ａおよび導電パターンを介して電力が供給される。
【００５３】
プリント基板１２は、位置決め用丸孔１２ｂと、位置決め用長孔１２ｃと、複数の固定用長孔１２ｄとが形成されている。位置決め用丸孔１２ｂおよび位置決め用長孔１２ｃには、フレーム部材１３の底部１３１の底面１３１ａに形成される、位置決め用突起部１３１ｂ，１３１ｃがそれぞれ挿通される。固定用長孔１２ｄには、固定用ピン１２ｅが挿通され、この固定用ピン１２ｅは、ピン受け部材１２ｆを介して、フレーム部材１３の底部１３１に形成される固定用孔１３１ｄ内に固定される。
【００５４】
図２に示すように、複数の第１発光装置１１Ａおよび複数の第２発光装置１１Ｂは、全体としてマトリクス状に整列配置される。第１発光装置１１Ａおよび第２発光装置１１Ｂは、それぞれ、フレーム部材１３の底部１３１の底面１３１ａに垂直な方向（Ｘ方向）に平面視したときに正方形に形成され、この正方形の一辺の長さは、たとえば５５ｍｍである。第１発光装置１１Ａおよび第２発光装置１１Ｂは、それぞれ、液晶パネル２における、この正方形に対向する領域の光量が、たとえば６０００ｃｄ／ｍ２となるように設計される。
【００５５】
第１発光装置１１Ａは、フレーム部材１３の底部１３１の中央領域１３１１に配置され、第２発光装置１１Ｂは、底部１３１の中央領域１３１１の周囲に位置する周辺領域１３１２に配置される。
【００５６】
第１発光装置１１Ａは、被照射体である液晶パネル２に向けて光を出射する、底部１３１の中央領域１３１１に配置される発光部１１１と、発光部１１１の周囲に設けられ、発光部１１１から出射された光を液晶パネル２に向けて反射する中央領域反射部材１１８Ａとを含む。中央領域反射部材１１８Ａは、発光部１１１を囲繞し、Ｘ方向に垂直な方向（光軸Ｓに垂直な方向）に延在し、Ｘ方向に見たときの外形状が多角形状の平板である。
【００５７】
第２発光装置１１Ｂは、被照射体である液晶パネル２に向けて光を出射する、底部１３１の周辺領域１３１２に配置される発光部１１１と、発光部１１１の周囲に設けられ、発光部１１１から出射された光を液晶パネル２に向けて反射する周辺領域反射部材１１８Ｂとを含む。周辺領域反射部材１１８Ｂは、発光部１１１を囲繞し、その発光部１１１の光軸Ｓに対して所定の角度で傾斜して延在する第１反射部である副反射部１１８２を含んで構成されていればよい。本実施形態では、周辺領域反射部材１１８Ｂは、Ｘ方向に垂直な方向に延在し、Ｘ方向に見たときの外形状が多角形状の平板である第２反射部となる主反射部１１８１と、主反射部１１８１に連なり、主反射部１１８１の主面に対して傾斜して延在する主面を有する平板である副反射部１１８２とを含む。
【００５８】
第１発光装置１１Ａに備えられる中央領域反射部材１１８Ａ、および、第２発光装置１１Ｂに備えられる周辺領域反射部材１１８Ｂの詳細については、後述する。
【００５９】
フレーム部材１３の底部１３１における、中央領域１３１１および周辺領域１３１２に整列配置される発光部１１１は、発光ダイオード（ＬＥＤ）チップ１１１ａと、ＬＥＤチップ１１１ａを支持する基台１１１ｂと、レンズ１１２とを含む。図６は、基台１１１ｂに支持されたＬＥＤチップ１１１ａとレンズ１１２との位置関係を示す図である。基台１１１ｂは、ＬＥＤチップ１１１ａを支持するための部材である。基台１１１ｂは、ＬＥＤチップ１１１ａを支持する支持面が、Ｘ方向に平面視したときに正方形に形成され、正方形の一辺の長さＬ１は、たとえば３ｍｍである。また、基台１１１ｂのＸ方向長さは、たとえば１ｍｍである。
【００６０】
図７は、基台１１１ｂとＬＥＤチップ１１１ａとを示す図であり、図７（ａ）が平面図であり、図７（ｂ）が正面図であり、図７（ｃ）が底面図である。基台１１１ｂは、セラミックス、樹脂などからなる基台本体１１１ｇと、基台本体１１１ｇに設けられる２つの電極１１１ｃとを含んでおり、ＬＥＤチップ１１１ａは、基台１１１ｂの支持面となる基台本体１１１ｇの上面の中央部に、接着部材１１１ｆで固定されている。２つの電極１１１ｃは、互いに離間しており、それぞれ、基台本体１１１ｇの上面、側面、および底面にわたって設けられる。
【００６１】
２つの電極１１１ｃと、ＬＥＤチップ１１１ａの図示しない２つの端子とが、２つのボンディングワイヤ１１１ｄによってそれぞれ接続される。そして、ＬＥＤチップ１１１ａおよびボンディングワイヤ１１１ｄは、シリコン樹脂などの透明樹脂１１１ｅによって封止される。
【００６２】
図８に、プリント基板１２に実装されるＬＥＤチップ１１１ａおよび基台１１１ｂを示す。ＬＥＤチップ１１１ａは、基台１１１ｂを介してプリント基板１２に実装され、プリント基板１２から液晶パネル２へ向かう方向に光を出射する。ＬＥＤチップ１１１ａの光軸Ｓの方向は、Ｘ方向である。ＬＥＤチップ１１１ａは、第１発光装置１１Ａおよび第２発光装置１１ＢをＸ方向に平面視したときに、基台１１１ｂの中央部に位置する。複数の第１発光装置１１Ａおよび第２発光装置１１Ｂにおいて、それぞれのＬＥＤチップ１１１ａによる光の出射の制御は、互いに独立して制御可能である。これによって、バックライトユニット１は、部分的な調光制御（ローカルディミング）が可能である。
【００６３】
プリント基板１２へＬＥＤチップ１１１ａおよび基台１１１ｂを実装するときは、まず、プリント基板１２が備える導電パターンの２つの接続端子部１２１の上に、それぞれ、はんだを付け、そのはんだに、基台本体１１１ｇの底面に設けられる２つの電極１１１ｃがそれぞれ合致するように、たとえば図示しない自動機によって、プリント基板１２に、基台１１１ｂおよび基台１１１ｂに固定されているＬＥＤチップ１１１ａを載せる。基台１１１ｂおよび基台１１１ｂに固定されているＬＥＤチップ１１１ａを載せたプリント基板１２は、赤外線を照射するリフロー槽に送られ、はんだは約２６０℃に熱せられ、基台１１１ｂとプリント基板１２とがはんだ付けされる。
【００６４】
図６に示すレンズ１１２は、ＬＥＤチップ１１１ａおよびＬＥＤチップ１１１ａを支持する基台１１１ｂを覆うように、基台１１１ｂに当接して設けられ、ＬＥＤチップ１１１ａから出射された光を、ＬＥＤチップ１１１ａの光軸Ｓに交差する複数の方向に反射または屈折させる。レンズ１１２は、透明なレンズであり、たとえばシリコン樹脂やアクリル樹脂などからなる。
【００６５】
レンズ１１２において、液晶パネル２に対向する面である上面１１２ａは、中央部に凹みを有して湾曲して形成される。また、側面１１２ｂは、ＬＥＤチップ１１１ａの光軸Ｓの方向を軸線方向とする円柱の側面状に形成される。
【００６６】
レンズ１１２は、光軸Ｓ回りに回転対称に形成される。レンズ１１２において、光軸Ｓに直交する断面の直径Ｌ２は、たとえば１０ｍｍである。レンズ１１２は、基台１１１ｂに対して外方に延出して設けられている。すなわち、レンズ１１２は、ＬＥＤチップ１１１ａの光軸Ｓに垂直な方向に関して基台１１１ｂよりも大きい（レンズ１１２の直径Ｌ２は、基台１１１ｂの支持面の一辺の長さＬ１よりも大きい）。このように、レンズ１１２が基台１１１ｂに対して外方に延出して設けられることによって、ＬＥＤチップ１１１ａから出射された光をレンズ１１２により広範囲に拡散させることができる。また、レンズ１１２の高さＨ１は、たとえば１．５ｍｍであり、直径Ｌ２よりも小さい。すなわち、レンズ１１２は、ＬＥＤチップ１１１ａの光軸Ｓに垂直な方向の最大長さが、高さＨ１よりも大きい。
【００６７】
上記のように、直径Ｌ２を高さＨ１よりも大きくするのは、バックライトユニット１の薄型化と液晶パネル２への光の均一照射のためである。バックライトユニット１を薄型化するためには、レンズ１１２の高さＨ１を小さく、すなわち、レンズ１１２を極力薄くする必要がある。しかしながら、レンズ１１２を薄くすると、液晶パネル２の背面に照度むらが発生し易くなり、その結果、液晶パネル２の表示画面２ａに輝度むらが発生し易くなる。特に、隣接するＬＥＤチップ１１１ａの間の距離が長い場合、液晶パネル２の背面の、隣接するＬＥＤチップ１１１ａの間となる部分は、２つのＬＥＤチップ１１１ａから遠く離れており、照射光量が少なくなるので、その部分とＬＥＤチップ１１１ａに対向する部分との間で、照度むら（輝度むら）が生じ易くなる。ＬＥＤチップ１１１ａから照射された光を、レンズ１１２を介して、ＬＥＤチップ１１１ａから遠く離れた領域に照射させるには、レンズ１１２の直径Ｌ２をある程度大きくする必要があり、本実施形態では、レンズ１１２の直径Ｌ２を、高さＨ１よりも大きくすることで、バックライトユニット１の薄型化と液晶パネル２への光の均一照射とを可能にしている。
【００６８】
なお、仮に、レンズ１１２の高さＨ１よりも、レンズ１１２の直径Ｌ２を小さくした場合、バックライトユニット１の薄型化および均一照射が困難となるばかりでなく、ＬＥＤチップ１１１ａに合わせてレンズ１１２を成形するインサート成形において、バランスが悪くなり易いという課題が生じる。また、ＬＥＤチップ１１１ａおよび基台１１１ｂと、インサート成形されたレンズ１１２とからなる発光部１１１をプリント基板１２にはんだ付けする際に、バランスを崩し易く、組立上にも課題が生じる。
【００６９】
レンズ１１２の上面１１２ａは、ＬＥＤチップ１１１ａに対向し、かつ、拡散板３の主面に平行な中央部分１１２１と、中央部分１１２１を取り囲む第１湾曲部分１１２２と、第１湾曲部分１１２２を取り囲む第２湾曲部分１１２３とを含む。レンズ１１２の表面において、上面１１２ａの中央部分１１２１および第２湾曲部分１１２３ならびに側面１１２ｂは、ＬＥＤチップ１１１ａから出射され、レンズ１１２の内部を通って到達した光を透過する透過領域となる。また、上面１１２ａの第１湾曲部分１１２２は、ＬＥＤチップ１１１ａから出射され、レンズ１１２の内部を通って到達した光を側面１１２ｂに向けて反射する反射領域となる。
【００７０】
上面１１２ａの中央部分１１２１は、上面１１２ａの中央において、中央部分１１２１の中心（すなわち、レンズ１１２の光軸）が、ＬＥＤチップ１１１ａの光軸Ｓ上に位置するように形成される。上面１１２ａの中央部分１１２１は、ＬＥＤチップ１１１ａの発光面に平行であり、円形状に形成され、その円形状の直径Ｌ３は、たとえば１ｍｍである。なお、本発明の他の実施形態としては、中央部分１１２１の形状を、上記円形状の代わりに、上記円形状の底面を有し、ＬＥＤチップ１１１ａに向かって突出する仮想的な円錐の側面形状にしてもよい。
【００７１】
中央部分１１２１は、拡散板３の、中央部分１１２１に対向する領域に光を照射するために形成されている。ただし、中央部分１１２１はＬＥＤチップ１１１ａに対向する部分であるので、ＬＥＤチップ１１１ａから出射される光の大半が中央部分１１２１に到達し、その大半の光がそのまま透過した場合、中央部分１１２１に対向する領域の照度が際立って大きくなる。そこで、中央部分１１２１の形状を、上記円錐の側面形状とすることが好ましい。上記円錐の側面形状とした場合、大半の光が中央部分１１２１で反射され、中央部分１１２１を透過する光は少なくなるので、中央部分１１２１に対向する領域の照度を抑えることができる。
【００７２】
上面１１２ａの第１湾曲部分１１２２は、中央部分１１２１の外周縁端部を取り巻き、その外周縁端部に連なる環状の曲面であり、この曲面は、ＬＥＤチップ１１１ａの光軸Ｓを中心として外方に向かうにつれて光軸Ｓ方向の一方（液晶パネル２に向かう方向）に延び、内方および光軸Ｓ方向の一方に凸となるように湾曲している。ここで、外周縁端部とは、光軸Ｓ方向に平面視したときに、光軸Ｓを中心として最外方となる部分であり、光軸Ｓのまわりを１周する部分である。第１湾曲部分１１２２は、反射領域とするために、曲面の形状が、ＬＥＤチップ１１１ａから出射された光が全反射するように設計される。
【００７３】
より詳細には、ＬＥＤチップ１１１ａから出射された光のうち、第１湾曲部分１１２２に到達した光は、第１湾曲部分１１２２で全反射した後、レンズの側面１１２ｂを透過し、反射部材１１８の主反射部１１８１へ向かう。主反射部１１８１に到達した光は、主反射部１１８１で拡散され、拡散光の一部は、拡散板３において、主反射部１１８１に対向する領域に照射される。また、拡散光の他の一部は、反射部材１１８の副反射部１１８２に向かい、副反射部１１８２で拡散され、拡散光は、拡散板３において、副反射部１１８２に対向する領域に照射される。このようにして、ＬＥＤチップ１１１ａに対向していない領域への照射光量を増加させることができる。
【００７４】
第１湾曲部分１１２２は、ＬＥＤチップ１１１ａから出射された光を全反射するために、ＬＥＤチップ１１１ａから出射された光の入射角度が、臨界角φ以上となるように形成される。たとえば、レンズ１１２の材質をアクリル樹脂とするとき、アクリル樹脂の屈折率は「１．４９」であり、空気の屈折率は「１」であるので、ｓｉｎφ＝１／１．４９となる。この式から、臨界角φは４２．１°となり、第１湾曲部分１１２２は、入射角度が４２．１°以上となる形状に形成される。また、たとえば、レンズ１１２の材質をシリコン樹脂とするとき、シリコン樹脂の屈折率は「１．４３」であり、空気の屈折率は「１」であるので、ｓｉｎφ＝１／１．４３となる。この式から、臨界角φは４４．４°となり、第１湾曲部分１１２２は、入射角度が４４．４°以上となる形状に形成される。
【００７５】
上面１１２ａの第２湾曲部分１１２３は、第１湾曲部分１１２２の外周縁端部に連なり、ＬＥＤチップ１１１ａの光軸Ｓを中心として外方に向かうにつれて光軸Ｓ方向の他方（液晶パネル２から離反する方向）に延び、外方および光軸Ｓ方向の一方に凸となるように湾曲した環状の曲面である。
【００７６】
ＬＥＤチップ１１１ａから出射された光のうち、第２湾曲部分１１２３に到達した光は、第２湾曲部分１１２３を透過するときに、発光部１１１に向かう方向に屈折して、拡散板３および中央領域反射部材１１８Ａまたは周辺領域反射部材１１８Ｂに向かう。反射部材１１８に到達した光は、拡散して拡散板３に向かう。このように第２湾曲部分１１２３により拡散板３へ向かう光は、拡散板３において、中央部分１１２１および第１湾曲部分１１２２により光が照射される領域とは異なる領域に主に照射され、これによって光量の補完が行われる。なお、第２湾曲部分１１２３は、光を透過する必要があるので、ＬＥＤチップ１１１ａから出射された光を全反射しないように、入射角度が４２．１°未満となる形状に形成される。
【００７７】
このように、レンズ１１２は、中央部分１１２１の外周縁端部に、ＬＥＤチップ１１１ａから出射された光をレンズ１１２の側面１１２ｂへ向けて全反射させる第１湾曲部分１１２２が形成され、その第１湾曲部分１１２２の外周縁端部に、ＬＥＤチップ１１１ａから出射された光を屈折させる第２湾曲部分１１２３が形成されている。ＬＥＤチップ１１１ａは一般的に指向性が強く、光軸Ｓ付近の光量が極めて大きく、光軸Ｓに対する光の出射角度が大きくなればなるほど光量が小さくなる。したがって、ＬＥＤチップ１１１ａの光軸Ｓ（すなわち、レンズ１１２の光軸）から比較的遠い領域への照射光量を大きくするためには、光軸Ｓに対する出射角度が大きな光を、この領域へ向けるのではなく、出射角度が小さな光を、この領域へ向ける必要がある。
【００７８】
本実施形態では、上記のように、光軸Ｓが通る中央部分１１２１の周囲に、上記の領域へ向けて光を全反射させる第１湾曲部分１１２２が隣接して形成されるので、上記の領域への照射光量を大きくすることができる。これに対して、仮に、中央部分１１２１の周囲に、第２湾曲部分１１２３を隣接させて形成し、その第２湾曲部分１１２３の周囲に、第１湾曲部分１１２２を隣接して形成した場合、第１湾曲部分１１２２へ向かう光の光軸Ｓに対する出射角度が大きくなり、その結果、第１湾曲部分１１２２で全反射されて上記の領域に照射される光の量は、少なくなってしまう。
【００７９】
図９は、ＬＥＤチップ１１１ａから出射された光の光路を模式的に示す図である。ＬＥＤチップ１１１ａから出射された光は、レンズ１１２に入射し、レンズ１１２で反射および屈折される。具体的には、レンズ１１２に入射した光のうち、中央部分１１２１に到達した光は、液晶パネル２に向けて矢符Ａ１方向などに出射され、第１湾曲部分１１２２に到達した光は、全反射して側面１１２ｂから矢符Ａ２方向などに出射され、第２湾曲部分１１２３に到達した光は、屈折して液晶パネル２に向けて矢符Ａ３方向などに出射される。
【００８０】
本実施形態では、ＬＥＤチップ１１１ａとレンズ１１２とは、レンズ１１２の中心（すなわち、レンズ１１２の光軸）がＬＥＤチップ１１１ａの光軸Ｓ上に位置し、レンズ１１２がＬＥＤチップ１１１ａに当接するように、予め高精度に位置合わせされて形成されている。このように、ＬＥＤチップ１１１ａとレンズ１１２とを、予め位置合わせして形成する方法としては、インサート成形や、所定の形状に成形されたレンズ１１２に基台１１１ｂに支持されたＬＥＤチップ１１１ａを嵌合させる方法などを挙げることができる。本実施形態では、ＬＥＤチップ１１１ａとレンズ１１２とは、インサート成形により、予め位置合わせされて形成されている。
【００８１】
インサート成形する際には、大きく分けて、上面金型と下面金型とを使用する。上面金型と下面金型とを合わせた際に形成される空間に、ＬＥＤチップ１１１ａを保持した状態で、レンズ１１２の原料となる樹脂を樹脂流入口から注入することにより成形する。なお、上面金型と下面金型とを合わせた際に形成される空間に、基台１１１ｂに支持されたＬＥＤチップ１１１ａを保持した状態で、レンズ１１２の原料となる樹脂を樹脂注入口から注入することにより成形するようにしてもよい。このように、ＬＥＤチップ１１１ａとレンズ１１２とをインサート成形により形成することによって、レンズ１１２がＬＥＤチップ１１１ａに当接するように、高精度に位置合わせすることができる。これによって、バックライトユニット１は、ＬＥＤチップ１１１ａから出射された光を、ＬＥＤチップ１１１ａに当接したレンズ１１２により、精度よく反射および屈折させることができるので、後述する図１０に示す、拡散板３からプリント基板１２までの距離Ｈ３（Ｈ３は、たとえば６ｍｍ）が小さい薄型化された液晶表示装置１００においても、面方向において強度が均一化された光を液晶パネル２に照射することができる。
【００８２】
次に、中央領域反射部材１１８Ａおよび周辺領域反射部材１１８Ｂについて説明する。図１０は、図２に示す線Ａ−Ａで切断したときの液晶表示装置１００の断面図である。図１１は、底部１３１の中央領域１３１１に対応する第１発光装置１１Ａに備えられる中央領域反射部材１１８Ａと、底部１３１の周辺領域１３１２に対応する第２発光装置１１Ｂに備えられる周辺領域反射部材１１８Ｂの構成を示す断面図である。図１１（ａ）は、図２に示す線Ｂ−Ｂで切断したときの中央領域反射部材１１８Ａおよび周辺領域反射部材１１８Ｂの断面図を示し、図１１（ｂ）は、図２に示す線Ｃ−Ｃで切断したときの中央領域反射部材１１８Ａおよび周辺領域反射部材１１８Ｂの断面図を示す。
【００８３】
フレーム部材１３における底部１３１の縁端部に配置されている各発光部１１１の周囲に設けられる周辺領域反射部材１１８Ｂの、底部１３１の縁端部に対応する部分（後述の副反射部１１８２の一部分）は、図１１に示すように、フレーム部材１３の側壁部１３２によって支持されている。側壁部１３２は、底部１３１に接続された端部とは反対側の端部が、外方に屈曲して形成されており（折り曲げられており）、この屈曲した部分に、反射部材１１８の一部分が載置されることによって、周辺領域反射部材１１８Ｂが側壁部１３２に支持されている。
【００８４】
なお、側壁部１３２の屈曲した部分に周辺領域反射部材１１８Ｂの一部分が載置された状態で、さらにその周辺領域反射部材１１８Ｂの一部分の上に重なるように拡散板３の縁端部が載置され、これによって拡散板３が側壁部１３２によって支持される。なお、図１１では、フレーム部材１３の底部１３１と周辺領域反射部材１１８Ｂとの間に隙間が形成されているが、この隙間は、プリント基板１２の厚みに相当するものである。
【００８５】
図１および図２に示すように、フレーム部材１３の底部１３１は、Ｘ方向（光軸Ｓ方向）に見たときの外形状が矩形状（長方形状）に形成される。このような底部１３１において、中央領域１３１１は底部１３１の外形状に相似する矩形状に形成され、周辺領域１３１２は矩形枠状に形成される。そして、複数の発光部１１１は、底部１３１における直交する２つの辺部分のそれぞれの延在方向（長辺方向または短辺方向）に等間隔で、中央領域１３１１および周辺領域１３１２に整列配置される。
【００８６】
図２を用いて具体的に説明すると、発光部１１１は、底部１３１の全体に対して、マトリクス状の配列における行方向（底部１３１の短辺方向）に７個、列方向（底部１３１の長辺方向）に１２個配置されている。中央領域１３１１には、発光部１１１が、行方向に３個、列方向に５個配置されている。この例では、底部１３１に対する中央領域１３１１の相似比は、０．４２〜０．４３程度に設定され、周辺領域１３１２には、発光部１１１が、底部１３１の一方の短辺に対してその短辺に垂直な方向に４個、底部１３１の他方の短辺に対してその短辺に垂直な方向に３個、底部１３１の一方の長辺に対してその長辺に垂直な方向に２個、底部１３１の他方の長辺に対してその長辺に垂直な方向に２個配置されている。
【００８７】
図２の例では、底部１３１に対して発光部１１１が上記のように配置されているけれども、本実施形態では、発光部１１１は、底部１３１の全体に対して、行方向に１４個、列方向に２４個配置されている。そして、中央領域１３１１には、発光部１１１が、行方向に６個、列方向に１０個配置され、周辺領域１３１２には、発光部１１１が、底部１３１の一方の短辺に対してその短辺に垂直な方向に８個、底部１３１の他方の短辺に対してその短辺に垂直な方向に６個、底部１３１の一方の長辺に対してその長辺に垂直な方向に４個、底部１３１の他方の長辺に対してその長辺に垂直な方向に４個配置されている。
【００８８】
中央領域反射部材１１８Ａは、底部１３１の中央領域１３１１に配置される発光部１１１の周囲に設けられ、発光部１１１から出射された光を液晶パネル２に向けて反射する。また、周辺領域反射部材１１８Ｂは、底部１３１の周辺領域１３１２に配置される発光部１１１の周囲に設けられ、発光部１１１から出射された光を液晶パネル２に向けて反射する。
【００８９】
中央領域反射部材１１８Ａおよび周辺領域反射部材１１８Ｂは、ＬＥＤチップ１１１ａから出射される光に対して高い反射率、理想的には１００％の反射率を有する部材である。本実施形態では、中央領域反射部材１１８Ａおよび周辺領域反射部材１１８Ｂは白色であり、ＬＥＤチップ１１１ａから出射される光に対して９５％〜９８％の全反射率を有する。中央領域反射部材１１８Ａおよび周辺領域反射部材１１８Ｂを構成する材料自身の反射率は、ＪＩＳ  Ｋ  ７３７５に準拠して測定することができる。
【００９０】
中央領域反射部材１１８Ａおよび周辺領域反射部材１１８Ｂは、高輝性ＰＥＴ（Polyethylene Terephthalate）、アルミニウムなどからなる。高輝性ＰＥＴとは、蛍光剤を含有した発泡性ＰＥＴであり、たとえば、東レ株式会社製のＥ６０Ｖ（商品名）などを挙げることができる。中央領域反射部材１１８Ａおよび周辺領域反射部材１１８Ｂは、Ｘ方向に平面視したときの外形状が多角形状、たとえば略正方形状であり、この正方形状の１辺の長さを５５ｍｍとするとき、隣接する中央領域反射部材１１８Ａ同士、隣接する周辺領域反射部材１１８Ｂ同士、および、隣接する中央領域反射部材１１８Ａと周辺領域反射部材１１８Ｂとの中心間の間隔は、たとえば５５ｍｍ〜５８ｍｍである。
【００９１】
中央領域反射部材１１８Ａは、厚みが０．１ｍｍ〜０．５ｍｍの平板状部材であり、Ｘ方向に平面視したときの外形状は多角形状、たとえば正方形状である。中央領域反射部材１１８Ａは、プリント基板１２上において、ＬＥＤチップ１１１ａの光軸Ｓに垂直な方向に延在して設けられ、Ｘ方向に平面視したときの正方形状の各辺が、複数のＬＥＤチップ１１１ａの配列方向（マトリクス状の配列における行方向または列方向）と平行になるように形成される。
【００９２】
中央領域反射部材１１８Ａは、Ｘ方向に平面視したときに、中央部に円形状の開口部が設けられる。この円形状の開口部の直径の長さは、ＬＥＤチップ１１１ａを被覆するレンズ１１２の直径の長さＬ２と同程度の１０ｍｍ〜１３ｍｍであり、プリント基板１２にレンズ１１２を含む発光部１１１が実装された後、中央領域反射部材１１８Ａをプリント基板１２上に設置する際、この開口部に発光部１１１が挿通される。
【００９３】
なお、底部１３１の中央領域１３１１に配置される発光部１１１の周囲に設けられる中央領域反射部材１１８Ａのうち、後述の周辺領域反射部材１１８Ｂに隣接する中央領域反射部材１１８Ａは、周辺領域反射部材１１８Ｂの副反射部１１８２と傾斜方向が逆向きに、光軸Ｓに対して傾斜する中央領域最外方副反射部１１８ＡＡを有している。
【００９４】
周辺領域反射部材１１８Ｂは、主反射部１１８１と副反射部１１８２とを含んで構成される。
【００９５】
周辺領域反射部材１１８Ｂの主反射部１１８１は、厚みが０．１ｍｍ〜０．５ｍｍの平板状部材であり、Ｘ方向に平面視したときの外形状は多角形状、たとえば正方形状である。主反射部１１８１は、プリント基板１２上において、ＬＥＤチップ１１１ａの光軸Ｓに垂直な方向に延在して設けられ、Ｘ方向に平面視したときの正方形状の各辺が、複数のＬＥＤチップ１１１ａの配列方向（マトリクス状の配列における行方向または列方向）と平行になるように形成される。
【００９６】
主反射部１１８１は、Ｘ方向に平面視したときに、中央部に円形状の開口部が設けられる。この円形状の開口部の直径の長さは、ＬＥＤチップ１１１ａを被覆するレンズ１１２の直径の長さＬ２と同程度の１０ｍｍ〜１３ｍｍであり、プリント基板１２にレンズ１１２を含む発光部１１１が実装された後、反射部材１１８をプリント基板１２上に設置する際、この開口部に発光部１１１が挿通される。
【００９７】
周辺領域反射部材１１８Ｂの副反射部１１８２は、厚みが０．１ｍｍ〜０．５ｍｍの矩形平板状部材であり、主反射部１１８１の４つの辺部分にそれぞれ連なって設けられる。ここで、主反射部１１８１の辺部分とは、主反射部１１８１をＸ方向に平面視したときに正方形状の主反射部１１８１の外周縁端部となる部分である。正方形状の主反射部１１８１の外周縁端部とは、光軸Ｓ方向（Ｘ方向）に平面視したときに、光軸Ｓのまわりを１周する部分であり、光軸Ｓを中心として光軸Ｓに垂直な各方向において最外方となる所定の幅の部分である。所定の幅とは、たとえば、正方形状の主反射部１１８１の１辺の長さの１％〜１０％の幅である。
【００９８】
各副反射部１１８２の主面は、ＬＥＤチップ１１１ａの光軸Ｓ方向に垂直な方向において主反射部１１８１から離れるにつれて光軸Ｓ方向においてプリント基板１２から遠ざかり、拡散板３へ向かうように、傾斜して延びて形成される。各副反射部１１８２は、主反射部１１８１のそれぞれ異なる辺部分に設けられるので、各副反射部１１８２は、それぞれ異なる方向に傾斜することになる。光軸Ｓに対する各副反射部１１８２の傾斜角度θは、０°以上９０°未満の範囲内で適宜設定することができ、本実施形態では傾斜角度θは１０°である。なお、周辺領域反射部材１１８Ｂに隣接する中央領域反射部材１１８Ａが有する中央領域最外方副反射部１１８ＡＡの、光軸Ｓに対する傾斜角度αは、周辺領域反射部材１１８Ｂにおける副反射部１１８２の傾斜角度θと同じであり、本実施形態では傾斜角度αは１０°である。
【００９９】
図１０および図１１に示すように、隣接する第２発光装置１１Ｂ同士において、隣接する副反射部１１８２は、接しており、逆Ｖ字状を形成している。前記逆Ｖ字状とは、副反射部１１８２が接続される主反射部１１８１の辺部分に垂直で、光軸Ｓに平行に切断したときの断面が逆Ｖ字状であることを示す。
【０１００】
周辺領域反射部材１１８Ｂの高さＨ２は、たとえば１ｍｍ〜５ｍｍであり、本実施形態では、３ｍｍである。ここで、高さＨ２は、副反射部１１８２の、Ｘ方向において主反射部１１８１の表面から最も離間した部分と、主反射部１１８１の表面との、Ｘ方向における距離である。
【０１０１】
上記のように構成される、中央領域反射部材１１８Ａと周辺領域反射部材１１８Ｂとは、互いに一体的に成形されるのが好ましい。複数の中央領域反射部材１１８Ａおよび周辺領域反射部材１１８Ｂを一体成形する方法としては、中央領域反射部材１１８Ａおよび周辺領域反射部材１１８Ｂが発泡性ＰＥＴにより構成されている場合には押出し成型加工を挙げることができ、中央領域反射部材１１８Ａおよび周辺領域反射部材１１８Ｂがアルミニウムにより構成されている場合にはプレス加工を挙げることができる。このように、中央領域反射部材１１８Ａおよび周辺領域反射部材１１８Ｂを一体成形することによって、各発光部１１１の、中央領域反射部材１１８Ａおよび周辺領域反射部材１１８Ｂに対する配置位置の精度を向上することができ、その結果、中央領域反射部材１１８Ａおよび周辺領域反射部材１１８Ｂによって、被照射体の輝度が面方向においてより均一となるように光を反射することができる。また、中央領域反射部材１１８Ａおよび周辺領域反射部材１１８Ｂを一体成形することにより、バックライトユニット１の組立作業時に、中央領域反射部材１１８Ａおよび周辺領域反射部材１１８Ｂを取り付ける作業数を低減することができるので、組立作業の効率を向上することができる。
【０１０２】
以上のように構成される本実施形態のバックライトユニット１では、フレーム部材１３の底部１３１の周辺領域１３１２に配置される各発光部１１１の周囲に設けられる周辺領域反射部材１１８Ｂが、発光部１１１の光軸Ｓに対して傾斜して延在する副反射部１１８２を有しているので、中央領域反射部材１１８Ａによって反射される光の量よりも、周辺領域反射部材１１８Ｂによって反射される光の量が多くなる。
【０１０３】
したがって、底部１３１の中央領域１３１１に配置される各発光部１１１に対応する中央領域反射部材１１８Ａと、底部１３１の周辺領域１３１２に配置される各発光部１１１に対応する周辺領域反射部材１１８Ｂとによって反射されて液晶パネル２に到達する光の量が、液晶パネル２の面方向において、１つの発光部１１１に対して隣接する発光部１１１の数の少ない端部が中央部よりも少なくなることを抑制することができる。すなわち、中央領域反射部材１１８Ａおよび周辺領域反射部材１１８Ｂによって反射されて液晶パネル２に到達する光の量を、液晶パネル２の面方向において均一にすることができ、その結果、液晶パネルの面方向における輝度を均一にすることができる。
【０１０４】
次に、本実施形態のバックライトユニット１における、周辺領域反射部材１１８Ｂの他の例について説明する。
【０１０５】
底部１３１の周辺領域１３１２に配置される発光部１１１の周囲に設けられる周辺領域反射部材１１８Ｂの副反射部１１８２は、底部１３１の中央領域１３１１に近い位置に配置される発光部１１１に対応する副反射部１１８２よりも、中央領域１３１１に対して遠い位置に配置される発光部１１１に対応する副反射部１１８２が、光軸Ｓ方向に投影したときの投影面積（被照射体に投影したときの投影面積）が大きくなるように設定されることが好ましい。
【０１０６】
周辺領域反射部材１１８Ｂにおける副反射部１１８２の、光軸Ｓ方向に投影したときの投影面積は、副反射部１１８２の延在方向の長さ、副反射部１１８２の高さＨ２、および、副反射部１１８２の光軸Ｓに対する傾斜角度θの大きさの少なくともいずれかによって調整することができる。
【０１０７】
たとえば、副反射部１１８２の前記投影面積を高さＨ２によって調整する場合、底部１３１の中央領域１３１１に近い位置に配置される発光部１１１に対応する副反射部１１８２よりも、中央領域１３１１に対して遠い位置に配置される発光部１１１に対応する副反射部１１８２が、高さＨ２が高くなるようにすればよい。この場合には、たとえば、全ての副反射部１１８２の光軸Ｓに対する傾斜角度θが同じ値（たとえば１０°）に設定され、底部１３１の長辺方向の縁端部に対応する周辺領域反射部材１１８Ｂにおける副反射部１１８２の高さＨ２が４ｍｍ、底部１３１の短辺方向の縁端部に対応する周辺領域反射部材１１８Ｂにおける副反射部１１８２の高さＨ２が２．３ｍｍに設定され、中央領域反射部材１１８Ａに隣接する周辺領域反射部材１１８Ｂにおける副反射部１１８２の高さＨ２が１ｍｍに設定される。
【０１０８】
また、副反射部１１８２の前記投影面積を傾斜角度θによって調整する場合、底部１３１の中央領域１３１１に近い位置に配置される発光部１１１に対応する副反射部１１８２よりも、中央領域１３１１に対して遠い位置に配置される発光部１１１に対応する副反射部１１８２が、傾斜角度θが大きくなるようにすればよい。この場合には、たとえば、全ての副反射部１１８２の高さＨ２が３ｍｍの同じ値に設定され、底部１３１の長辺方向の縁端部に対応する周辺領域反射部材１１８Ｂにおける副反射部１１８２の傾斜角度θが４５°〜６０°、底部１３１の短辺方向の縁端部に対応する周辺領域反射部材１１８Ｂにおける副反射部１１８２の傾斜角度θが２５°〜３５°に設定され、中央領域反射部材１１８Ａに隣接する周辺領域反射部材１１８Ｂにおける副反射部１１８２の傾斜角度θが１８°〜２８°に設定される。
【０１０９】
また、副反射部１１８２の前記投影面積を高さＨ２および傾斜角度θによって調整する場合、底部１３１の中央領域１３１１に近い位置に配置される発光部１１１に対応する副反射部１１８２よりも、中央領域１３１１に対して遠い位置に配置される発光部１１１に対応する副反射部１１８２が、高さＨ２が高く、かつ、傾斜角度θが大きくなるようにすればよい。この場合には、たとえば、底部１３１の長辺方向の縁端部に対応する周辺領域反射部材１１８Ｂにおける副反射部１１８２は、高さＨ２が３ｍｍで傾斜角度θが４５°〜６０°に設定され、底部１３１の短辺方向の縁端部に対応する周辺領域反射部材１１８Ｂにおける副反射部１１８２は、高さＨ２が２．３ｍｍで傾斜角度θが２５°〜３５°に設定され、中央領域反射部材１１８Ａに隣接する周辺領域反射部材１１８Ｂにおける副反射部１１８２は、高さＨ２が１ｍｍで傾斜角度θが１８°〜２８°に設定される。
【０１１０】
図１２は、周辺領域反射部材１１８Ｂの他の例である周辺領域反射部材１１８ＢＡの構成を示す断面図である。周辺領域反射部材１１８ＢＡにおける副反射部１１８２Ａの高さＨ２は、底部１３１の中央領域１３１１から遠ざかるにつれて、段階的に高くなるように設定されている。換言すれば、周辺領域反射部材１１８ＢＡにおける副反射部１１８２Ａの前記投影面積は、底部１３１の中央領域１３１１から遠ざかるにつれて、段階的に大きくなるように設定されている。
【０１１１】
具体的には、全ての副反射部１１８２Ａの光軸Ｓに対する傾斜角度θが同じ値（たとえば１０°）に設定され、中央領域反射部材１１８Ａに隣接する周辺領域反射部材１１８ＢＡにおける、中央領域最外方副反射部１１８ＡＡに隣接する副反射部１１８２Ａの高さＨ２が１ｍｍに設定される。そして、図１２（ａ）に示すように、底部１３１の長辺方向において、副反射部１１８２Ａの高さＨ２は、隣接する副反射部１１８２Ａ同士を１組として同じ値に設定し、中央領域１３１１から遠ざかるにつれて順番に、段階的に高くなるように設定され、底部１３１の周辺領域１３１２において最外周縁端に位置する周辺領域反射部材１１８ＢＡの副反射部１１８２Ａの高さＨ２が４ｍｍに設定されている。また、図１２（ｂ）に示すように、底部１３１の短辺方向において、副反射部１１８２Ａの高さＨ２は、隣接する副反射部１１８２Ａ同士を１組として同じ値に設定し、中央領域１３１１から遠ざかるにつれて順番に、段階的に高くなるように設定され、底部１３１の周辺領域１３１２において最外周縁端に位置する周辺領域反射部材１１８ＢＡの副反射部１１８２Ａの高さＨ２が２．３ｍｍに設定されている。
【０１１２】
このような周辺領域反射部材１１８ＢＡの副反射部１１８２Ａは、中央領域１３１１に近い位置に配置される発光部１１１に対応する副反射部１１８２Ａよりも、中央領域１３１１に対して遠い位置に配置される発光部１１１に対応する副反射部１１８２Ａが、発光部１１１の光軸Ｓ方向に投影したときの投影面積が大きくなるように設定される。これによって、周辺領域１３１２に配置される各発光部１１１に対応する周辺領域反射部材１１８ＢＡによって反射される光の量は、中央領域１３１１に近い側よりも遠い側に配置される発光部１１１に対応する周辺領域反射部材１１８ＢＡが多くなる。したがって、中央領域反射部材１１８Ａおよび周辺領域反射部材１１８ＢＡによって反射されて液晶パネル２に到達する光の量を、液晶パネル２の面方向においてより効果的に均一にすることができ、その結果、液晶パネル２の面方向における輝度を均一にすることができる。
【０１１３】
図１３は、周辺領域反射部材１１８Ｂの他の例である周辺領域反射部材１１８ＢＢの構成を示す断面図である。周辺領域反射部材１１８ＢＢにおける副反射部１１８２Ｂの光軸Ｓに対する傾斜角度θは、底部１３１の中央領域１３１１から遠ざかるにつれて、段階的に大きくなるように設定されている。換言すれば、周辺領域反射部材１１８ＢＢにおける副反射部１１８２Ｂの前記投影面積は、底部１３１の中央領域１３１１から遠ざかるにつれて、段階的に大きくなるように設定されている。
【０１１４】
具体的には、全ての副反射部１１８２Ｂの高さＨ２が３ｍｍの同じ値に設定され、中央領域反射部材１１８Ａに隣接する周辺領域反射部材１１８ＢＢにおける、中央領域最外方副反射部１１８ＡＡに隣接する副反射部１１８２Ｂの光軸Ｓに対する傾斜角度θが１８°〜２８°の範囲内において同じ値（たとえば１８°）に設定される。そして、図１３（ａ）に示すように、底部１３１の長辺方向において、副反射部１１８２Ｂの傾斜角度θは、隣接する副反射部１１８２Ｂ同士を１組として同じ値に設定し、中央領域１３１１から遠ざかるにつれて順番に、段階的に大きくなるように設定され、底部１３１の周辺領域１３１２において最外周縁端に位置する周辺領域反射部材１１８ＢＢの副反射部１１８２Ｂの傾斜角度θが４５°〜６０°（たとえば４５°）に設定されている。また、図１３（ｂ）に示すように、底部１３１の短辺方向において、副反射部１１８２Ｂの光軸Ｓに対する傾斜角度θは、隣接する副反射部１１８２Ｂ同士を１組として同じ値に設定し、中央領域１３１１から遠ざかるにつれて順番に、段階的に大きくなるように設定され、底部１３１の周辺領域１３１２において最外周縁端に位置する周辺領域反射部材１１８ＢＢの副反射部１１８２Ｂの傾斜角度θが２５°〜３５°（たとえば２５°）に設定されている。
【０１１５】
このように、周辺領域反射部材１１８ＢＢにおける副反射部１１８２Ｂの傾斜角度θを、底部１３１の中央領域１３１１から遠ざかるにつれて、段階的に大きくなるように設定することによって、中央領域反射部材１１８Ａおよび周辺領域反射部材１１８ＢＢによって反射されて液晶パネル２に到達する光の量を、液晶パネル２の面方向においてより効果的に均一にすることができ、その結果、液晶パネル２の面方向における輝度を均一にすることができる。
【０１１６】
図１４は、周辺領域反射部材１１８Ｂの他の例である周辺領域反射部材１１８ＢＣの構成を示す断面図である。隣接する周辺領域反射部材１１８ＢＣ同士において、上記の逆Ｖ字状を形成する副反射部１１８２Ｃ同士（副反射部１１８２Ｃの互いに対向する領域部分同士）は、中央領域１３１１に近い側の副反射部１１８２Ｃ（中央領域近接側副反射部）よりも、中央領域１３１１に対して遠い側の副反射部１１８２Ｃ（中央領域離反側副反射部）が、光軸Ｓ方向に投影したときの投影面積が大きくなるように設定されている。
【０１１７】
隣接する周辺領域反射部材１１８ＢＣ同士において、上記の逆Ｖ字状を形成する副反射部１１８２Ｃ同士の、光軸Ｓ方向に投影したときの投影面積は、副反射部１１８２Ｃの光軸Ｓに対する傾斜角度θ１および傾斜角度θ２の大きさによって調整することができる。
【０１１８】
具体的には、隣接する周辺領域反射部材１１８ＢＣ同士における、上記の逆Ｖ字状を形成する副反射部１１８２Ｃ同士において、底部１３１の中央領域１３１１に近い側の副反射部１１８２Ｃ（中央領域近接側副反射部）の、光軸Ｓに対する傾斜角度θ２よりも、底部１３１の中央領域１３１１に対して遠い側の副反射部１１８２Ｃ（中央領域離反側副反射部）の、光軸Ｓに対する傾斜角度θ１の方が、大きくなるように設定されている。
【０１１９】
この場合には、たとえば、全ての副反射部１１８２Ｃの高さＨ２が３ｍｍの同じ値に設定され、中央領域近接側副反射部の傾斜角度θ２が１０°〜２０°の範囲内において同じ値（たとえば１０°）に設定され、中央領域離反側副反射部の傾斜角度θ１が４５°〜６０°の範囲内において同じ値（たとえば４５°）に設定される。なお、周辺領域反射部材１１８ＢＣに隣接する中央領域反射部材１１８Ａが有する中央領域最外方副反射部１１８ＡＡの、光軸Ｓに対する傾斜角度αは、中央領域近接側副反射部の傾斜角度θ２と同じ値に設定される。
【０１２０】
このような周辺領域反射部材１１８ＢＣ同士において、上記の逆Ｖ字状を形成する副反射部１１８２Ｃ同士は、中央領域１３１１に近い側の副反射部１１８２Ｃよりも、中央領域１３１１に対して遠い側の副反射部１１８２Ｃが、光軸Ｓ方向に投影したときの投影面積が大きくなるように設定されている。これによって、周辺領域１３１２に配置される各発光部１１１に対応する周辺領域反射部材１１８ＢＣによって反射される光の量を、中央領域近接側副反射部に対応する周辺領域反射部材１１８ＢＣよりも中央領域離反側副反射部に対応する周辺領域反射部材１１８ＢＣの方を多くすることができる。したがって、中央領域反射部材１１８Ａおよび周辺領域反射部材１１８ＢＣによって反射されて液晶パネル２に到達する光の量を、液晶パネル２の面方向においてより効果的に均一にすることができ、その結果、液晶パネル２の面方向における輝度を均一にすることができる。
【０１２１】
図１５は、周辺領域反射部材１１８Ｂの他の例である周辺領域反射部材１１８ＢＤの構成を示す断面図である。周辺領域反射部材１１８ＢＤにおける副反射部１１８２Ｄの光軸Ｓに対する傾斜角度θ１および傾斜角度θ２は、底部１３１の中央領域１３１１から遠ざかるにつれて、段階的に大きくなるように設定されている。換言すれば、周辺領域反射部材１１８ＢＤにおける副反射部１１８２Ｄの前記投影面積は、底部１３１の中央領域１３１１から遠ざかるにつれて、段階的に大きくなるように設定されている。
【０１２２】
具体的には、隣接する周辺領域反射部材１１８ＢＤ同士における、上記の逆Ｖ字状を形成する副反射部１１８２Ｄ同士において、底部１３１の中央領域１３１１に近い側の副反射部１１８２Ｄ（中央領域近接側副反射部）の、光軸Ｓに対する傾斜角度θ２は、中央領域１３１１から遠ざかるにつれて、段階的に大きくなるように設定され、中央領域１３１１に対して遠い側の副反射部１１８２Ｄ（中央領域離反側副反射部）の、光軸Ｓに対する傾斜角度θ１も、中央領域１３１１から遠ざかるにつれて、段階的に大きくなるように設定されている。
【０１２３】
この場合には、全ての副反射部１１８２Ｄの高さＨ２が３ｍｍの同じ値に設定される。そして、図１５（ａ）に示すように、底部１３１の長辺方向において、中央領域近接側副反射部の光軸Ｓに対する傾斜角度θ２は、底部１３１の中央領域１３１１から遠ざかるにつれて順番に、１２°〜２０°の範囲内で段階的に大きくなるように設定される。このとき、周辺領域反射部材１１８ＢＤに隣接する中央領域反射部材１１８Ａが有する中央領域最外方副反射部１１８ＡＡの、光軸Ｓに対する傾斜角度αが１２°に設定され、底部１３１の周辺領域１３１２において最外周縁端に位置する周辺領域反射部材１１８ＢＤに対応する中央領域近接側副反射部の傾斜角度θ２が、２０°に設定される。
【０１２４】
底部１３１の長辺方向において、中央領域離反側副反射部の光軸Ｓに対する傾斜角度θ１は、底部１３１の中央領域１３１１から遠ざかるにつれて順番に、４７°〜５５°の範囲内で段階的に大きくなるように設定される。このとき、中央領域反射部材１１８Ａに隣接する周辺領域反射部材１１８ＢＤに対応する中央領域離反側副反射部の傾斜角度θ１が、４７°に設定され、底部１３１の周辺領域１３１２において最外周縁端に位置する周辺領域反射部材１１８ＢＤに対応する中央領域離反側副反射部の傾斜角度θ１が、５５°に設定される。
【０１２５】
また、図１５（ｂ）に示すように、底部１３１の短辺方向において、中央領域近接側副反射部の光軸Ｓに対する傾斜角度θ２は、底部１３１の中央領域から遠ざかるにつれて順番に、１２°〜１６°の範囲内で段階的に大きくなるように設定される。このとき、周辺領域反射部材１１８ＢＤに隣接する中央領域反射部材１１８Ａが有する中央領域最外方副反射部１１８ＡＡの、光軸Ｓに対する傾斜角度αが１２°に設定され、底部１３１の周辺領域１３１２において最外周縁端に位置する周辺領域反射部材１１８ＢＤに対応する中央領域近接側副反射部の傾斜角度θ２が、１６°に設定される。
【０１２６】
底部１３１の短辺方向において、中央領域離反側副反射部の光軸Ｓに対する傾斜角度θ１は、底部１３１の中央領域１３１１から遠ざかるにつれて順番に、４７°〜５１°の範囲内で段階的に大きくなるように設定される。このとき、中央領域反射部材１１８Ａに隣接する周辺領域反射部材１１８ＢＤに対応する中央領域離反側副反射部の傾斜角度θ１が、４７°に設定され、底部１３１の周辺領域１３１２において最外周縁端に位置する周辺領域反射部材１１８ＢＤに対応する中央領域離反側副反射部の傾斜角度θ１が、５１°に設定される。
【０１２７】
このように、隣接する周辺領域反射部材１１８ＢＤ同士における、上記の逆Ｖ字状を形成する副反射部１１８２Ｄ同士において、中央領域近接側副反射部の光軸Ｓに対する傾斜角度θ２、および、中央領域離反側副反射部の光軸Ｓに対する傾斜角度θ１を、底部１３１の中央領域１３１１から遠ざかるにつれて段階的に大きくなるように設定することによって、中央領域反射部材１１８Ａおよび周辺領域反射部材１１８ＢＤによって反射されて液晶パネル２に到達する光の量を、液晶パネル２の面方向においてより効果的に均一にすることができ、その結果、液晶パネル２の面方向における輝度を均一にすることができる。
【０１２８】
図１６は、バックライトユニット１の他の例であるバックライトユニット１Ａを示す図である。本実施形態のバックライトユニット１Ａは、図２に示すバックライトユニット１に類似し、対応する部分については同一の参照符号を付して説明を省略する。
【０１２９】
バックライトユニット１Ａにおいて特徴的な構成は、フレーム部材１３における底部１３１の周辺領域１３１２に配置される発光部１１１の、底部１３１の辺部分に垂直な方向のそれぞれの配置数が、各辺部分で同じとなるように構成されていることである。
【０１３０】
図１６を用いて具体的に説明すると、発光部１１１は、底部１３１の全体に対して、マトリクス状の配列における行方向（底部１３１の短辺方向）に７個、列方向（底部１３１の長辺方向）に１２個配置されている。中央領域１３１１には、発光部１１１が、行方向に５個、列方向に１０個配置されている。そして、周辺領域１３１２には、発光部１１１が、底部１３１の一方の短辺に対してその短辺に垂直な方向に１個、底部１３１の他方の短辺に対してその短辺に垂直な方向に１個、底部１３１の一方の長辺に対してその長辺に垂直な方向に１個、底部１３１の他方の長辺に対してその長辺に垂直な方向に１個配置されている。
【０１３１】
図１６の例では、底部１３１に対して発光部１１１が上記のように配置されているけれども、本実施形態では、発光部１１１は、底部１３１の全体に対して、行方向に１４個、列方向に２４個配置されている。そして、中央領域１３１１には、発光部１１１が、行方向に１２個、列方向に２２個配置され、周辺領域１３１２には、発光部１１１が、底部１３１の一方の短辺に対してその短辺に垂直な方向に１個、底部１３１の他方の短辺に対してその短辺に垂直な方向に１個、底部１３１の一方の長辺に対してその長辺に垂直な方向に１個、底部１３１の他方の長辺に対してその長辺に垂直な方向に１個配置されている。
【０１３２】
また、発光部１１１が、底部１３１の全体に対して、行方向に１４個、列方向に２４個配置されていることに対して、中央領域１３１１には、発光部１１１が、行方向に１０個、列方向に２０個配置され、周辺領域１３１２には、発光部１１１が、底部１３１の一方の短辺に対してその短辺に垂直な方向に２個、底部１３１の他方の短辺に対してその短辺に垂直な方向に２個、底部１３１の一方の長辺に対してその長辺に垂直な方向に２個、底部１３１の他方の長辺に対してその長辺に垂直な方向に２個配置されているようにしてもよい。
【０１３３】
このように構成されるバックライトユニット１Ａにおいて、中央領域１３１１に配置される発光部１１１から出射された光は、中央領域反射部材１１８Ａによって反射され、周辺領域１３１２に配置される発光部１１１から出射された光は、副反射部１１８２を有する周辺領域反射部材１１８Ｂによって反射される。これによって、中央領域反射部材１１８Ａおよび周辺領域反射部材１１８Ｂによって反射されて液晶パネル２に到達する光の量を、液晶パネル２の面方向においてより効果的に均一にすることができ、その結果、液晶パネル２の面方向における輝度を均一にすることができる。
【符号の説明】
【０１３４】
１，１Ａ  バックライトユニット
２  液晶パネル
３  拡散板
１１Ａ  第１発光装置
１１Ｂ  第２発光装置
１２  プリント基板
１３  フレーム部材
１００  液晶表示装置
１１１  発光部
１１８Ａ  中央領域反射部材
１１８Ｂ，１１８ＢＡ，１１８ＢＢ，１１８ＢＣ，１１８ＢＤ  周辺領域反射部材
１１８ＡＡ  中央領域最外方副反射部
１１８１，１１８１Ａ，１１８１Ｂ，１１８１Ｃ，１１８１Ｄ  主反射部
１１８２，１１８２Ａ，１１８２Ｂ，１１８２Ｃ，１１８２Ｄ  副反射部
【図１】
2013246954.tif 000003
【図２】
2013246954.tif 000004
【図３】
2013246954.tif 000005
【図４】
2013246954.tif 000006
【図５】
2013246954.tif 000007
【図６】
2013246954.tif 000008
【図７】
2013246954.tif 000009
【図８】
2013246954.tif 000010
【図９】
2013246954.tif 000011
【図１０】
2013246954.tif 000012
【図１１】
2013246954.tif 000013
【図１２】
2013246954.tif 000014
【図１３】
2013246954.tif 000015
【図１４】
2013246954.tif 000016
【図１５】
2013246954.tif 000017
【図１６】
2013246954.tif 000018